(57)【要約】      （修正有）【課題】底面部と、内側スリーブ状部を有し、内側スリーブ状部の側面部の一部が分離部として他の部分と切目線を介して分離可能な内箱部と、内側スリーブ状部を構成する各内側側面部に対応して外側側面部を有する外側スリーブ状部と、蓋部とを有し、分離部が設けられた内側側面部に対応した外側側面部に分離部が接着された外箱部と、を有する包装箱であって、少ない工程で外箱部を内箱部に対して分離できるとともに、被収納物が軽量の場合でも内箱部に対する外箱部の分離に支障を来すことがない包装箱を提供する。【解決手段】内箱部Ａ１において、本体部２２、３２から切目線Ｋ２６、Ｋ３６を介して分離部２４、３４が連設され、外箱部Ａ２において、切目線Ｋ１２６により形成された片部１２４が設けられるとともに切欠部１２８が形成され、側面部１２０と相対する側面部においても同様の構成とする。【選択図】図３
0003183208.tif 000002
【実用新案登録請求の範囲】
【請求項１】
包装箱であって、
底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成され、内側側面部本体部の上側の辺部から該第１切目線を介して該分離部が連設された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側側面部の上辺から折れ線を介して連設された上面部とを有し、内箱部における分離部が設けられた内側側面部に対応した外側側面部に分離部が接着され、外側側面部における分離部が接着された領域を含む片部で外側側面部と上面部間の折れ線上に両側の端部が位置する第２切目線で間隔を介して形成された複数の切込み又は連続した切込みにより形成された第２切目線を介して形成された片部が上面部に対して回動可能に形成され、一対の外側側面部の下端に内箱部を露出するための切欠部が設けられた外箱部と、
を有し、
内箱部と外箱部とが、それぞれ１枚のシート状のブランクにより形成されていて、
外側スリーブ状部の上部開口に対して上面部を閉じた状態として、一対の内側側面部における上記切欠部からの露出部分を一方の手でつかむとともに、外箱部における一対の片部の領域を他方の手でつかんだ状態で、外箱部をつかんだ手で一対の片部を内側に押し込むことにより一対の片部が外側側面部と上面部間の折れ線に沿った回動軸を中心に回動して第１切目線が破断し、一方の手で内箱部をつかんだ状態で他方の手で外箱部を内箱部から引き離すことにより外箱部が内箱部から分離することを特徴とする包装箱。
【請求項２】
包装箱であって、
底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成され、内側側面部本体部の上側の辺部から該第１切目線を介して該分離部が連設された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側側面部の上辺から折れ線を介して連設された上面部とを有し、内箱部における分離部が設けられた内側側面部に対応した外側側面部に分離部が接着され、外側側面部における分離部が接着された領域を含む片部で外側側面部の上端領域で外側側面部と上面部間の折れ線よりも下方に両側の端部が位置し両側の端部間の方向が外側側面部と上面部間の折れ線と平行である第２切目線で間隔を介して形成された複数の切込み又は連続した切込みにより形成された第２切目線を介して形成された片部が該外側側面部の他の部分に対して回動可能に形成され、一対の外側側面部の下端に内箱部を露出するための切欠部が設けられた外箱部と、
を有し、
内箱部と外箱部とが、それぞれ１枚のシート状のブランクにより形成されていて、
外側スリーブ状部の上部開口に対して上面部を閉じた状態として、一対の内側側面部における上記切欠部からの露出部分を一方の手でつかむとともに、外箱部における一対の片部の領域を他方の手でつかんだ状態で、外箱部をつかんだ手で一対の片部を内側に押し込むことにより一対の片部が第２切目線の両側の端部間の回動軸を中心に回動して第１切目線が破断し、一方の手で内箱部をつかんだ状態で他方の手で外箱部を内箱部から引き離すことにより外箱部が内箱部から分離することを特徴とする包装箱。
【請求項３】
第２切目線は、略Ｕ字状を呈することを特徴とする請求項１又は２に記載の包装箱。
【請求項４】
内側背面部の上辺は水平方向に形成され、内側側面部本体部は、内側背面部の上辺の高さ方向の位置と同じ高さ位置において水平方向に形成された上辺を有し、さらに、分離部は、該分離部が第１切目線を介して連設された内側側面部本体部の上辺の延長線上に形成された水平方向の直線状の上辺を有することを特徴とする請求項１又は２又は３に記載の包装箱。
【請求項５】
内側側面部において、外箱部における片部の領域における正面視左右方向には、内側側面部本体部が存在せず、片部を内側に押し込んだ際に片部が内側側面部本体部に接触しないことを特徴とする請求項１又は２又は３又は４に記載の包装箱。
【請求項６】
包装箱であって、
底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成され、内側側面部本体部の上側の辺部から該第１切目線を介して該分離部が連設された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側側面部の上辺から折れ線を介して連設された上面部とを有し、内箱部における分離部が設けられた内側側面部に対応した外側側面部に分離部が接着され、外側側面部における分離部が接着された領域を含む片部で外側側面部と上面部間の折れ線上に両側の端部が位置する略Ｕ字状の第２切目線で間隔を介して形成された複数の切込み又は連続した切込みにより形成された第２切目線を介して形成された片部が上面部に対して回動可能に形成され、一対の外側側面部の下端に内箱部を露出するための切欠部が設けられた外箱部と、
を有し、
内箱部と外箱部とが、それぞれ１枚のシート状のブランクにより形成されていて、
内側背面部の上辺は水平方向に形成され、内側側面部本体部は、内側背面部の上辺の高さ方向の位置と同じ高さ位置において水平方向に形成された上辺を有し、さらに、分離部は、分離部が第１切目線を介して連設された内側側面部本体部の上辺の延長線上に形成された水平方向の直線状の上辺を有するとともに、内側側面部において、外箱部における片部の領域における正面視左右方向には、内側側面部本体部が存在せず、
外側スリーブ状部の上部開口に対して上面部を閉じた状態として、一対の内側側面部における上記切欠部からの露出部分を一方の手でつかむとともに、外箱部における一対の片部の領域を他方の手でつかんだ状態で、外箱部をつかんだ手で一対の片部を内側に押し込むことにより一対の片部が内側側面部本体部に接触せずに外側側面部と上面部間の折れ線に沿った回動軸を中心に回動して第１切目線が破断し、一方の手で内箱部をつかんだ状態で他方の手で外箱部を内箱部から引き離すことにより外箱部が内箱部から分離することを特徴とする包装箱。
【請求項７】
底面部は、内側正面部の下辺から連設された第１片部と、一対の内側側面部の一方における下辺から連設された第２片部と、一対の内側側面部の他方における下辺から連設された第３片部と、内側背面部の下辺から連設された第４片部により形成され、内側スリーブ状部における隣接する各部を互いに直角にすることにより底面部が略方形状の外形を有することを特徴とする請求項１又は２又は３又は４又は５又は６に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるものとして特許文献１〜２に示す先行技術文献についての出願を行っている。
【０００３】
特許文献１に記載の包装箱においては、外箱部Ａ２の右側面側に設けられた片部１２６を外側に回動することにより、分離部２４が片部１２６に接着した状態のまま内箱部Ａ１から分離し、外箱部Ａ２の左側面側に設けられた片部１３６を外側に回動することにより、分離部３４が片部１３６に接着した状態のまま内箱部Ａ１から分離し、その後、外箱部Ａ２を上方に引き上げる。
【０００４】
また、特許文献２に記載の包装箱においても、外箱部Ａ２の右側面側に設けられた片部１２２を外側に回動することにより、分離部２４が片部１２２に接着した状態のまま内箱部Ａ１から分離し、外箱部Ａ２の左側面側に設けられた片部１３２を外側に回動することにより、分離部３４が片部１３２に接着した状態のまま内箱部Ａ１から分離し、その後、外箱部Ａ２を上方に引き上げる。
【先行技術文献】
【特許文献】
【０００５】
【特許文献１】実用新案登録第３１３９９４８号公報
【特許文献２】実用新案登録第３１４７１７３号公報
【考案の概要】
【考案が解決しようとする課題】
【０００６】
しかし、特許文献１及び特許文献２に記載の包装箱においては、分離部２４、３４を内箱部Ａ１から分離するために片部１２６、１３６（１２２、１３２）を外側に回動させる動作を行ない、その後、外箱部を上方に引き上げる際には、外箱部の下端又は角部を把持して引き上げることとなり、片部１２６、１３６（１２２、１３２）を回動させる動作と外箱部を引き上げる動作の間で外箱部を持ち替える必要があり、また、特許文献１及び特許文献２の包装箱では、両側の片部を同時に回動させるのは容易ではなく、一方の片部を回動させた後に他方の片部を回動させることになり、より少ない工程で外箱部を内箱部に対して分離できることが要望されていた。
【０００７】
また、特許文献１及び特許文献２に記載の包装箱においては、内箱部に収納される被収納物が軽量の場合には、外箱部を上方に引き上げる際に内箱部も上方に引き上げられてしまい、内箱部に対する外箱部の分離に支障を来すという問題があった。
【０００８】
そこで、本考案が解決しようとする問題点は、底面部と、内側スリーブ状部を有する内箱部で、内側スリーブ状部の側面部の一部が分離部として他の部分と切断予定線（切目線）を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部に分離部が接着されている外箱部と、を有する包装箱であって、少ない工程で外箱部を内箱部に対して分離できるとともに、被収納物が軽量の場合でも内箱部に対する外箱部の分離に支障を来すことがない包装箱を提供することである。
【課題を解決するための手段】
【０００９】
本考案は上記問題点を解決するために創作されたものであって、第１には、包装箱（陳列用包装箱、陳列兼用包装箱としてもよい）であって、底面部（略方形状の外形を有する底面部としてもよい）と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成され、内側側面部本体部の上側の辺部から該第１切目線を介して該分離部が連設された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側側面部の上辺から折れ線を介して連設された上面部とを有し、内箱部における分離部が設けられた内側側面部に対応した外側側面部に分離部が接着され、外側側面部における分離部が接着された領域を含む片部で外側側面部と上面部間の折れ線上に両側の端部が位置する第２切目線で間隔を介して形成された複数の切込み又は連続した切込みにより形成された第２切目線を介して形成された片部が上面部に対して回動可能に形成され、一対の外側側面部の下端に内箱部を露出するための切欠部が設けられた外箱部と、を有し、内箱部と外箱部とが、それぞれ１枚のシート状のブランクにより形成されていて、外側スリーブ状部の上部開口に対して上面部を閉じた状態として、一対の内側側面部における上記切欠部からの露出部分を一方の手でつかむとともに、外箱部における一対の片部の領域を他方の手でつかんだ状態で、外箱部をつかんだ手で一対の片部を内側に押し込むことにより一対の片部が外側側面部と上面部間の折れ線に沿った回動軸を中心に回動して第１切目線が破断し、一方の手で内箱部をつかんだ状態で他方の手で外箱部を内箱部から引き離すことにより外箱部が内箱部から分離することを特徴とする。
【００１０】
第１の構成の包装箱によれば、内箱部における上記切欠部からの露出部分を一方の手でつかむとともに、外箱部における一対の片部の領域を他方の手でつかんだ状態で、外箱部をつかんだ手で片部を押し込み、その後、一方の手で内箱部をつかんだ状態で他方の手で外箱部を内箱部から引き離すという動作のみで外箱部を内箱部から分離することができるので、内箱部と外箱部を持つ手を持ち替える必要がなく、少ない工程で外箱部を内箱部に対して分離することができる。
【００１１】
また、一方の手で内箱部をつかんだ状態で他方の手で外箱部を分離させるので、被収納物が軽量の場合でも内箱部に対する外箱部の分離に支障を来すことがない。
【００１２】
また、第２には、包装箱（陳列用包装箱、陳列兼用包装箱としてもよい）であって、底面部（略方形状の外形を有する底面部としてもよい）と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成され、内側側面部本体部の上側の辺部から該第１切目線を介して該分離部が連設された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側側面部の上辺から折れ線を介して連設された上面部とを有し、内箱部における分離部が設けられた内側側面部に対応した外側側面部に分離部が接着され、外側側面部における分離部が接着された領域を含む片部で外側側面部の上端領域で外側側面部と上面部間の折れ線よりも下方に両側の端部が位置し両側の端部間の方向が外側側面部と上面部間の折れ線と平行である第２切目線で間隔を介して形成された複数の切込み又は連続した切込みにより形成された第２切目線を介して形成された片部が該外側側面部の他の部分に対して回動可能に形成され、一対の外側側面部の下端に内箱部を露出するための切欠部が設けられた外箱部と、を有し、内箱部と外箱部とが、それぞれ１枚のシート状のブランクにより形成されていて、外側スリーブ状部の上部開口に対して上面部を閉じた状態として、一対の内側側面部における上記切欠部からの露出部分を一方の手でつかむとともに、外箱部における一対の片部の領域を他方の手でつかんだ状態で、外箱部をつかんだ手で一対の片部を内側に押し込むことにより一対の片部が第２切目線の両側の端部間の回動軸を中心に回動して第１切目線が破断し、一方の手で内箱部をつかんだ状態で他方の手で外箱部を内箱部から引き離すことにより外箱部が内箱部から分離することを特徴とする。
【００１３】
第２の構成の包装箱によれば、内箱部における上記切欠部からの露出部分を一方の手でつかむとともに、外箱部における一対の片部の領域を他方の手でつかんだ状態で、外箱部をつかんだ手で片部を押し込み、その後、一方の手で内箱部をつかんだ状態で他方の手で外箱部を内箱部から引き離すという動作のみで外箱部を内箱部から分離することができるので、内箱部と外箱部を持つ手を持ち替える必要がなく、少ない工程で外箱部を内箱部に対して分離することができる。
【００１４】
また、一方の手で内箱部をつかんだ状態で他方の手で外箱部を分離させるので、被収納物が軽量の場合でも内箱部に対する外箱部の分離に支障を来すことがない。
【００１５】
また、第３には、上記第１又は第２の構成において、第２切目線は、略Ｕ字状を呈することを特徴とする。
【００１６】
また、第４には、上記第１から第３までのいずれかの構成において、内側背面部の上辺は水平方向に形成され、内側側面部本体部は、内側背面部の上辺の高さ方向の位置と同じ高さ位置において水平方向に形成された上辺を有し、さらに、分離部は、該分離部が第１切目線を介して連設された内側側面部本体部の上辺の延長線上に形成された水平方向の直線状の上辺を有することを特徴とする。よって、分離部を高さ方向になるべく高い位置に形成することができ、結果として、外箱部を把持した手で片部を押し込みやすくすることができる。
【００１７】
また、第５には、上記第１から第４までのいずれかの構成において、内側側面部において、外箱部における片部の領域における正面視左右方向には、内側側面部本体部が存在せず、片部を内側に押し込んだ際に片部が内側側面部本体部に接触しないことを特徴とする。よって、片部を内側に押し込んだ際に、片部が内側側面部本体部と接触して片部の回動に支障を来すことがない。
【００１８】
また、第６には、包装箱（略方形状の外形を有する底面部としてもよい）であって、底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として分離部以外の部分である内側側面部本体部と第１切目線を介して分離可能に形成され、内側側面部本体部の上側の辺部から該第１切目線を介して該分離部が連設された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側側面部の上辺から折れ線を介して連設された上面部とを有し、内箱部における分離部が設けられた内側側面部に対応した外側側面部に分離部が接着され、外側側面部における分離部が接着された領域を含む片部で外側側面部と上面部間の折れ線上に両側の端部が位置する略Ｕ字状の第２切目線で間隔を介して形成された複数の切込み又は連続した切込みにより形成された第２切目線を介して形成された片部が上面部に対して回動可能に形成され、一対の外側側面部の下端に内箱部を露出するための切欠部が設けられた外箱部と、を有し、内箱部と外箱部とが、それぞれ１枚のシート状のブランクにより形成されていて、内側背面部の上辺は水平方向に形成され、内側側面部本体部は、内側背面部の上辺の高さ方向の位置と同じ高さ位置において水平方向に形成された上辺を有し、さらに、分離部は、分離部が第１切目線を介して連設された内側側面部本体部の上辺の延長線上に形成された水平方向の直線状の上辺を有するとともに、内側側面部において、外箱部における片部の領域における正面視左右方向には、内側側面部本体部が存在せず、外側スリーブ状部の上部開口に対して上面部を閉じた状態として、一対の内側側面部における上記切欠部からの露出部分を一方の手でつかむとともに、外箱部における一対の片部の領域を他方の手でつかんだ状態で、外箱部をつかんだ手で一対の片部を内側に押し込むことにより一対の片部が内側側面部本体部に接触せずに外側側面部と上面部間の折れ線に沿った回動軸を中心に回動して第１切目線が破断し、一方の手で内箱部をつかんだ状態で他方の手で外箱部を内箱部から引き離すことにより外箱部が内箱部から分離することを特徴とする。
【００１９】
第６の構成の包装箱によれば、内箱部における上記切欠部からの露出部分を一方の手でつかむとともに、外箱部における一対の片部の領域を他方の手でつかんだ状態で、外箱部をつかんだ手で片部を押し込み、その後、一方の手で内箱部をつかんだ状態で他方の手で外箱部を内箱部から引き離すという動作のみで外箱部を内箱部から分離することができるので、内箱部と外箱部を持つ手を持ち替える必要がなく、少ない工程で外箱部を内箱部に対して分離することができる。
【００２０】
また、一方の手で内箱部をつかんだ状態で他方の手で外箱部を分離させるので、被収納物が軽量の場合でも内箱部に対する外箱部の分離に支障を来すことがない。
【００２１】
また、分離部を高さ方向になるべく高い位置に形成することができ、結果として、外箱部を把持した手で片部を押し込みやすくすることができる。
【００２２】
また、第７には、上記第１から第６までのいずれかの構成において、底面部は、内側正面部の下辺から連設された第１片部と、一対の内側側面部の一方における下辺から連設された第２片部と、一対の内側側面部の他方における下辺から連設された第３片部と、内側背面部の下辺から連設された第４片部により形成され、内側スリーブ状部における隣接する各部を互いに直角にすることにより底面部が略方形状の外形を有することを特徴とする。
【考案の効果】
【００２３】
本考案に基づく包装箱によれば、内箱部における上記切欠部からの露出部分を一方の手でつかむとともに、外箱部における一対の片部の領域を他方の手でつかんだ状態で、外箱部をつかんだ手で片部を押し込み、その後、外箱部と内箱部とを引き離すという動作のみで外箱部を内箱部から分離することができるので、少ない工程で外箱部を内箱部に対して分離することができる。
【００２４】
また、一方の手で内箱部をつかんだ状態で他方の手で外箱部を分離させるので、被収納物が軽量の場合でも内箱部に対する外箱部の分離に支障を来すことがない。
【図面の簡単な説明】
【００２５】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】本考案の実施例に基づく包装箱の底面図である。
【図５】本考案の実施例に基づく包装箱の側面図である。
【図６】内箱部の展開図である。
【図７】外箱部の展開図である。
【図８】包装箱を折り畳んだ状態を示す平面図である。
【図９】包装箱の使用状態を示す斜視図である。
【図１０】包装箱の使用状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【図１５】外箱部の他の例を示す展開図である。
【考案を実施するための形態】
【００２６】
本考案においては、底面部と、内側スリーブ状部を有する内箱部で、内側スリーブ状部の側面部の一部が分離部として他の部分と切断予定線（切目線）を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部に分離部が接着されている外箱部と、を有する包装箱であって、少ない工程で外箱部を内箱部に対して分離できるとともに、被収納物が軽量の場合でも内箱部に対する外箱部の分離に支障を来すことがない包装箱を提供するという目的を以下のようにして実現した。
【００２７】
本考案に基づく包装箱（陳列用包装箱、陳列兼用包装箱としてもよい）Ａは、図１〜図７等に示すように構成され、内箱部Ａ１と、外箱部Ａ２とを有していて、それぞれが１枚のシート状のブランク（具体的には、段ボール（例えば、薄型段ボール）、厚紙等）により形成されている。
【００２８】
内箱部Ａ１は、全体に上部が開口した容器状を呈し、図３、図６等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図６に示すように形成されている。
【００２９】
ここで、正面部１０は、方形状（具体的には、横長長方形状）を呈している。また、側面部２０は、正面部１０の正面視における右端の辺部から折れ線Ｃ２を介して連設され、方形状における上側の一部を切り欠いた形状を呈し、その上端の縁部は、凹凸形状に形成され、背面側の端部においては、背面部４０の上端の縁部の高さと同じに形成されている。この側面部２０は、本体部（内側側面部本体部）２２と、分離部２４とを有している。つまり、側面部２０の上端の領域の一部に切目線（第１切目線）Ｋ２６で区画することにより分離部２４が形成されている。切目線Ｋ２６は、ミシン目状の切込み（間隔をおきながら形成された切込み）（切断予定線）である。側面部２０における分離部２４以外の部分が本体部２２となっている。
【００３０】
本体部２２は、長方形状における上側の一部を切り欠いた形状を呈し、本体部２２の上側の辺部（上端の縁部）は、正面部１０の上辺から連設された直線状の辺部２２ａと、辺部２２ａの背面側の端部から連設され背面側にいくほど上方に傾斜する直線状の辺部２２ｂと、辺部２２ｂの背面側の端部から連設され、背面側にいくほど水平方向に対する傾斜角度（本体部２２の底面側の辺部２２ｇに対する角度）が小さくなり、辺部２２ｄ側の端部では水平方向となる略円弧状の辺部２２ｃと、辺部２２ｃの背面側の端部から連設され、水平方向（辺部２２ｆと平行な方向）の直線状の辺部２２ｄと、辺部２２ｄの背面側の辺部から連設され、背面側にいくほど水平方向に対する傾斜角度が大きくなる曲線状の辺部２２ｅと、辺部２２ｅの背面側の端部から連設され、水平方向の直線状の辺部２２ｆ（内側側面部本体部の上辺）とを有している。なお、辺部２２ｅの辺部２２ｆ側の端部における水平方向に対する角度αは、９０度よりも小さくなっていて、辺部２２ｅの水平方向に対する角度はいずれの位置においても９０度よりも小さくなっている。これにより、外箱部Ａ２を内箱部Ａ１に対して上方に移動させて外箱部Ａ２を内箱部Ａ１から分離する際に、分離部２４が本体部２２に対して上昇するが、本体部２２が分離部２４が上昇する際の支障となることがない。つまり、辺部２２ｅの水平方向に対する角度が９０度よりも大きくなると、分離部２４が上昇する際の支障となるので、辺部２２ｅの水平方向に対する角度は、少なくとも９０度以下である必要がある。なお、辺部２２ａは、内箱部Ａ１の展開状態では正面部１０の上辺の延長線上に形成され、辺部２２ｆは、内箱部Ａ１の展開状態では背面部４０の上辺の延長線上に形成されている。つまり、辺部２２ｆは、背面部４０の上辺の高さ方向の位置と同じ高さ位置に形成されている。
【００３１】
また、分離部２４は、辺部２２ｄの背面側の一部と辺部２２ｅから切目線Ｋ２６を介して連設され、辺部２２ｄの横方向における途中位置（略中央位置）から上方に伸びた正面側の辺部２４ａと、辺部２４ａの上端から連設され背面側に水平方向に形成された辺部２４ｂと、辺部２４ｂの背面側の端部から連設され、辺部２２ｅに沿って形成され辺部２４ｃと、辺部２４ｃの辺部２４ｂとは反対側の端部から連設され、辺部２２ｄの一部に沿って形成された辺部２４ｄとにより囲まれて構成されている。辺部２４ｂは、辺部２２ｆの延長線上に形成されている。辺部２４ｂは、分離部２４の上辺を形成する。辺部２４ｂが辺部２２ｆの延長線上に形成されているので、分離部２４を高さ方向になるべく高い位置に形成することができ、結果として、外箱部Ａ２を把持した手で片部１２４を押し込みやすくすることができる。つまり、片部１２４を押し込む指の位置の丁度内側に分離部２４が存在した方が片部１２４を押し込んだ際に容易に切目線Ｋ２６を破断して分離部２４を分離できるので、片手で外箱部Ａ２をつかんで片部１２４を押し込むことからすると、分離部２４が高い位置に設けられているので、片部１２４を押し込むことによる分離部２４の分離を容易とすることができる。
【００３２】
切目線Ｋ２６は、辺部２２ｅ及び辺部２４ｃに沿って形成された切目線Ｋ２６ａと、切目線Ｋ２６ｂから連設され、辺部２２ｄの背面側の一部及び辺部２４ｄに沿って形成された切目線Ｋ２６ｂとから構成されている。つまり、分離部２４の底面側と背面側が切目線Ｋ２６を介して本体部２２と接続している。切目線Ｋ２６は、切込み（ブランクの一方の面から他方の面まで貫通した切込み）を間隔を介して形成することにより形成され、例えば、ミシン目状に形成される。
【００３３】
また、側面部３０は、正面部１０の正面視における左端の辺部から折れ線Ｃ３を介して連設され、本体部（内側側面部本体部）３２と、本体部３２と切目線（第１切目線）Ｋ３６を介して連設された分離部３４とを有している。なお、側面部２０の場合と同様に、分離部３４の辺部３４ｂが本体部３２の辺部３２ｆの延長線上に形成されているので、分離部３４を高さ方向になるべく高い位置に形成することができ、結果として、外箱部Ａ２を把持した手で片部１３４を押し込みやすくすることができる
この側面部３０は、側面部２０と対称（内箱部Ａ１の展開状態では線対称）に形成されている。すなわち、本体部３２は、本体部２２と対称に形成され、分離部３４は、分離部２４と対称に形成されている点以外は同様の構成であるので、詳しい説明を省略する。
【００３４】
また、背面部４０は、側面部２０の右側面視における右端の辺部から折れ線Ｃ１を介して連設され、方形状（長方形状）を呈している。これにより、背面部４０の上辺は、水平方向に形成されている。この背面部４０の横幅は、正面部１０の横幅と同一に形成され、背面部４０の縦幅は、側面部２０、３０の縦幅（最大縦幅）と同一に形成されている。つまり、糊代部４２に接着剤が塗布され、背面部４０に接着される。背面部４０に接着剤を塗布して、糊代部４２と接着してもよい。
【００３５】
また、糊代部４２は、側面部３０の左側面視における左端から折れ線Ｃ４を介して連設され、縦方向に細長の帯状台形形状を呈している。この糊代部４２は、図３に示すように、その外側の面が背面部４０の内側の面に接着されている。
【００３６】
また、底面部５０は、第１片部６０と、第２片部７０と、第３片部８０と、第４片部９０とを有し、包装箱Ａの組立て状態においては、図４に示すように、略方形状の外形を呈している。この底面部５０は、いわゆるワンタッチ底と呼ばれるものである。
【００３７】
ここで、第１片部６０は、正面部１０の下端から折れ線を介して連設され、先端側にいくほど幅狭となる略台形形状に形成され、その上面の一部が内箱部Ａ１の内底面の一部を形成している。この第１片部６０は、底面部５０の組立て状態においては、第４片部９０と点対称に形成されている。
【００３８】
また、第２片部７０は、側面部２０の下端から折れ線を介して連設され、略長方形状に形成され、第２片部７０の上面の一部が内箱部Ａ１の内底面の一部を形成している。また、第２片部７０の角部（側面部２０と背面部４０の境界位置の角部）からは第２片部７０の側面部２０との境界をなす辺部に対して斜めに折れ線７０−１（この折れ線７０−１は、上面側が山折れ線となっている）が形成され、内箱部Ａ１を折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。すなわち、第４片部９０に接着剤が塗布され、先端部７４に接着されている。先端部７４に接着剤を塗布して第４片部９０と接着してもよい。
【００３９】
また、第３片部８０は、側面部３０の下端から折れ線を介して連設され、底面部５０の組立て状態においては、第２片部７０と点対称に形成されている。すなわち、第３片部８０は、側面部３０の下端から折れ線を介して連設され、略長方形状に形成され、第３片部８０の上面の一部が内箱部Ａ１の内底面の一部を形成している。また、第３片部８０の角部（側面部３０と正面部１０の境界位置の角部）からは第３片部８０の側面部３０との境界をなす辺部に対して斜めに折れ線８０−１（この折れ線８０−１は、上面側が山折れ線となっている）が形成され、内箱部Ａ１を折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。すなわち、第１片部６０に接着剤が塗布され、先端部８４に接着されている。先端部８４に接着剤を塗布して第１片部６０と接着してもよい。
【００４０】
また、第４片部９０は、背面部４０の下端から折れ線を介して連設され、先端側にいくほど幅狭となる略台形形状に形成され、その上面の一部が内箱部Ａ１の内底面の一部を形成している。
【００４１】
底面部５０は、ワンタッチ底であるとして説明したが、他の形状でもよく、例えば、地獄底の形状としてもよい。
【００４２】
内箱部Ａ１を箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部３０との角度を小さくし、背面部４０と側面部２０との角度を小さくさせるとともに、第２片部７０の本体部７２を上方に回動させて側面部２０に対して略平行にし、第３片部８０の本体部８２を上方に回動させて側面部３０に対して略平行にすることにより、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００４３】
次に、外箱部Ａ２は、内箱部Ａ１を覆う箱体であり、図１〜図４、図７等に示すように、スリーブ状部（外側スリーブ状部）１０５と、上面部１６０、１７０、１８０、１９０とを有していて、その展開状態は、図７に示すように形成されている。
【００４４】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。なお、スリーブ状部１０５の縦方向の長さ（最大長さ、すなわち、側面部１２０、１３０の縦方向の最大長さ）は、スリーブ状部５の縦方向の長さ（最大長さ、側面部２０、３０の縦方向の最大長さや背面部４０の縦方向の長さ）よりも長く形成されている。
【００４５】
ここで、正面部１１０は、略方形状（略長方形状）の板状を呈している。この正面部１１０の横幅（最大幅）は、内箱部Ａ１を外箱部Ａ２内に収納することができるように、正面部１０の横幅よりも若干大きく形成されている。
【００４６】
また、側面部１２０は、正面部１１０の正面視における右端の辺部から折れ線Ｃ１２を介して連設され、略方形状を呈している。
【００４７】
すなわち、側面部１２０は、方形状の下端に略半円状の切欠部１２８を形成した形状を有している。つまり、切欠部１２８は、側面部１２０の下辺における横方向の中央（略中央としてもよい）に設けられ、側面部１２０の下辺は、側面部１２０の正面側の端部から形成された直線状の辺部１２０ａと、辺部１２０ａの背面側の端部から連設された半円状の辺部１２０ｂと、辺部１２０ｂの背面側の端部から連設された直線状の辺部１２０ｃとを有している。
【００４８】
また、側面部１２０の上端には、略Ｕ字状の切目線（切断予定線としてもよい）（第２切目線）Ｋ１２６が形成されている。この切目線Ｋ１２６は、側面部１２０の横方向における中央（略中央としてもよい）に設けられている。つまり、切目線Ｋ１２６は、水平方向（折れ線Ｃ２２や辺部１２０ａ、１２０ｃの方向）に対して直角に形成された切目線１２６ａと、切目線１２６ａの下端から連設された円弧状の切目線１２６ｂと、切目線１２６ｂの切目線１２６ａとは反対側の端部から連設され、水平方向の直線状の切目線１２６ｃと、切目線１２６ｃの背面側の端部から連設された円弧状の切目線１２６ｄと、切目線１２６ｄの切目線１２６ｃとは反対側の端部から連設され、水平方向に対して直角方向の切目線１２６ｅとから形成されている。切目線Ｋ１２６は、複数の切込み（ブランクの一方の面から他方の面まで貫通した切込み）を間隔を介して形成することにより形成され、例えば、ミシン目状に形成される。
【００４９】
切目線１２６ａと切目線１２６ｅの上端は、側面部１２０と上面部１７０間の折れ線Ｃ２２上に位置している。つまり、切目線Ｋ１２６の両側の端部は、側面部１２０と上面部１７０間の折れ線Ｃ２２上に位置している。
【００５０】
側面部１２０において、切目線Ｋ１２６と折れ線Ｃ２２とで囲まれた領域が片部１２４となり、側面部１２０における片部１２４以外の領域が本体部１２２となる。つまり、本体部１２２自体の形状としては、上端領域に切欠部（片部１２４を配置するための切欠部）と、切欠部１２８と、開口部１１２による切欠部とを有した構成となっている。また、切目線Ｋ１２６の両側の端部は折れ線Ｃ２２上に位置しているので、片部１２４は上面部１７０に対して回動可能に形成されている。
【００５１】
なお、側面部１２０の横方向の長さは、内箱部Ａ１を外箱部Ａ２内に収納することができるように、側面部２０の横方向の長さよりも若干大きく形成されている。また、側面部１２０の縦方向の長さ（最大長さ）は、側面部２０の縦方向の長さ（最大長さ）よりも長く形成されている。
【００５２】
また、側面部１３０は、正面部１１０の正面視における左端の辺部から折れ線Ｃ１３を介して連設され、略方形状を呈している。すなわち、側面部１３０は、側面部１２０と対称（外箱部Ａ２の展開状態では線対称）に形成されていて、方形状の下端に略半円状の切欠部１３８が形成され、また、側面部１３０の上端には、切目線（第２切目線）Ｋ１３６が形成されている。
【００５３】
側面部１３０は側面部１２０と対称である点以外は側面部１２０と同様の構成であるので、詳しい説明を省略する。なお、切目線Ｋ１３６は、切目線Ｋ１２６と同様に略Ｕ字状を呈し、水平方向（折れ線Ｃ２４や辺部１３０ａ、１３０ｃの方向）に対して直角に形成された切目線１３６ａと、切目線１３６ａの下端から連設された円弧状の切目線１３６ｂと、切目線１３６ｂの切目線１３６ａとは反対側の端部から連設され、水平方向の直線状の切目線１３６ｃと、切目線１３６ｃの背面側の端部から連設された円弧状の切目線１３６ｄと、切目線１３６ｄの切目線１３６ｃとは反対側の端部から連設され、水平方向に対して直角方向の切目線１３６ｅとから形成されている。また、切目線１３６ａと切目線１３６ｅの上端は、側面部１３０と上面部１８０間の折れ線Ｃ２４上に位置している。つまり、切目線Ｋ１３６の両側の端部は、側面部１３０と上面部１８０間の折れ線Ｃ２４上に位置している。また、切目線Ｋ１３６の両側の端部は折れ線Ｃ２４上に位置しているので、片部１３４は上面部１８０に対して回動可能に形成されている。
【００５４】
これにより、側面部１３０において、切目線Ｋ１３６と折れ線Ｃ２４とで囲まれた領域が片部１３４となり、側面部１３０における片部１３４以外の領域が本体部１３２となる。
【００５５】
なお、片部１２４と片部１３４はともに片手で外箱部Ａ２の上端をつかんだ状態で内側に押し込むことができる大きさに形成されている。
【００５６】
また、背面部１４０は、側面部１２０の右側面視における右端の辺部から折れ線Ｃ１１を介して連設され、方形状を呈している。この背面部１４０の横方向の長さは、内箱部Ａ１を外箱部Ａ２内に収納することができるように、背面部４０の横幅よりも若干大きく形成され、正面部１１０の横方向の長さと略同一に形成されている。
【００５７】
この背面部１４０の横幅は、正面部１１０の横幅（最大横幅）と同一に形成され（つまり、折れ線Ｃ１０と折れ線Ｃ１１間の長さは、折れ線Ｃ１２と折れ線Ｃ１３間の長さと同一に形成されている）、背面部１４０の縦幅は、側面部１２０、１３０の縦幅（最大縦幅）と同一に形成されている。
【００５８】
また、糊代部１４２は、背面部１４０の背面視における右端の辺部から折れ線Ｃ１０を介して連設され、縦方向に細長の帯状台形形状を呈している。この糊代部１４２は、図２に示すように、その内側の面が側面部１３０の外側の面に接着されている。すなわち、糊代部１４２に接着剤が塗布され、側面部１３０に接着されている。側面部１３０に接着剤を塗布して、糊代部１４２と接着してもよい。
【００５９】
スリーブ状部１０５は上記のように形成されているので、正面部１１０の縦方向の長さと側面部１２０、１３０の縦方向の長さ（最大長さ）と背面部１４０の縦方向の長さは略同一に形成され、外箱部Ａ２の展開状態において、正面部１１０の下辺と側面部１２０、１３０の下辺（切欠部１２８、１３８の領域を除く下辺）と背面部１４０の下辺とは直線状に形成され、折れ線Ｃ２１と折れ線Ｃ２２と折れ線Ｃ２３と折れ線Ｃ２４とは直線状に形成されている。
【００６０】
なお、折れ線Ｃ１０と折れ線Ｃ１１と折れ線Ｃ１２と折れ線Ｃ１３の各折れ線に沿って折曲げ容易とするために、各折れ線に沿って間隔を介して直線状の切込み（ブランクの一方の面から他方の面まで貫通した切込み）が形成されている。
【００６１】
また、正面部１１０と側面部１２０間の境界の下端位置には、縦長の開口部１１２が形成され、正面部１１０と側面部１３０間の境界の下端位置には、縦長の切欠部１１４が形成されている。開口部１１２や切欠部１１４が設けられているので、正面部１１０や側面部１２０、１３０の下端が外側と内側間を移動する余裕があり、外箱部Ａ２を容易に引き上げることができる。
【００６２】
また、上面部１６０は、正面部１１０の上端から折れ線Ｃ２３を介して連設され、方形状（長方形状）を呈している。また、上面部１７０は、側面部１２０の上端から折れ線Ｃ２２を介して連設され、方形状（長方形状）を呈している。また、上面部１８０は、側面部１３０の上端から折れ線Ｃ２４を介して連設され、方形状（長方形状）を呈している。また、上面部１９０は、背面部１４０の上端から折れ線Ｃ２１を介して連設され、方形状（長方形状）を呈している。
【００６３】
外箱部Ａ２の展開状態において、上面部１７０と上面部１６０との間には隙間が形成され、上面部１８０と上面部１６０との間には隙間が形成され、上面部１９０と上面部１７０との間には隙間が形成されている。これら４つの上面部１６０〜１９０は、外箱部Ａ２の上面を開閉するものであり、特に、上面部１７０と上面部１８０を閉状態とすることにより外箱部Ａ２の上面が塞がれる。すなわち、上面部１７０の折れ線Ｃ２２から先端までの長さと上面部１８０の折れ線Ｃ２４から先端までの長さは、ともに正面部１１０の横方向の長さや背面部１４０の横方向の長さの半分（略半分としてもよい）の長さに形成され、上面部１７０と上面部１８０により外箱部Ａ２の上面が塞がれる。つまり、上面部１６０〜１９０は、蓋部を構成する。
【００６４】
なお、上面部１６０〜１９０は、予め上方に立設した状態になっていて、外箱部Ａ２の上方が開口した状態になっている。なお、蓋部としての上面部１６０〜１９０はスリーブ状部１０５の上端の各辺から連設されているが、少なくとも１つの上面部から連設されていればよい。
【００６５】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００６６】
次に、内箱部Ａ１と外箱部Ａ２とは、分離部２４、３４の箇所で互いに接着されている。
【００６７】
つまり、分離部２４の外側の面と側面部１２０の片部１２４の内側の面とが接着剤その他の接着手段により接着されるとともに、分離部３４の外側の面と側面部１３０の片部１３４の内側の面とが接着剤その他の接着手段により接着されることにより、包装箱Ａが全体に一体に形成される。つまり、分離部２４の外側の面の全部又は一部の領域と片部１２４の内側の面の間には接着剤層（図示せず）が設けられていて、同様に、分離部３４の外側の面の全部又は一部の領域と片部１３４の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２４を内側に押し込んで折れ線Ｃ２２を中心に回動させた際に、同時に切目線Ｋ２６が破れて、分離部２４が内箱部Ａ１から分離し、回動させた片部１２４に接着した状態で片部１２４に従動するように設定されていて、同様に、外箱部Ａ２の片部１３４を内側に押し込んで折れ線Ｃ２４を中心に回動させた際に、同時に切目線Ｋ３６が破れて、分離部３４が内箱部Ａ１から分離し、回動させた片部１３４に接着した状態で片部１３４に従動するように設定されている。
【００６８】
なお、分離部２４と片部１２４とが接着した状態における片部１２４の位置は、図５に示すようになり、側面視において、切目線Ｋ１２６が、切目線Ｋ２６や本体部２２の上側の辺部よりも外側（分離部２４側）となっていて、片部１２４が本体部２２と重ならないようになっている。つまり、側面部２０において、片部１２４の領域の側方（つまり、正面視左右方向）には、本体部２２が存在せず（「本体部２２の上側の辺部が存在せず」としてもよい）、本体部２２の上側の辺部における片部１２４の横方向の領域Ｒに対応する部分２２−１（辺部２２ｄの一部と辺部２２ｅの一部）は、片部１２４よりも下側に存在する。これにより、片部１２４を内側に押し込んだ際に、片部１２４が本体部２２と接触して片部１２４の回動に支障を来すことがない。分離部３４と片部１３４の位置関係も同様であり、側面視において、切目線Ｋ１３６が切目線Ｋ３６よりも外側（分離部３４側）となっていて、片部１３４が本体部３２と重ならないようになっている。
【００６９】
なお、図５に示すように、分離部２４は横方向に片部１２４の領域からはみ出ているが、片部１２４を内側に押し込むことにより分離部２４が本体部２２から分離されるので、支障はない。
【００７０】
また、内箱部Ａ１と外箱部Ａ２とが接着された状態では、内箱部Ａ１の下端（つまり、底面部５０の下面）と外箱部Ａ２の下端（正面部１１０の下辺や側面部１２０の辺部１２０ａ、１２０ｃや側面部１３０の辺部１３０ａ、１３０ｃや背面部１４０の下辺）とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００７１】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図８に示すように平板状に折り畳むことができる。
【００７２】
なお、上記内箱部Ａ１、外箱部Ａ２において、各折れ線の箇所には、予め罫線が形成されている。
【００７３】
また、外箱部Ａ２には、側面部１２０には切欠部１２８が形成され、側面部１３０には切欠部１３８が形成されているので、内箱部Ａ１はこれらの切欠部から露出している。つまり、側面部２０及び側面部３０の下端の正面側の領域が露出しているので、側面部２０と側面部３０とをつかむことにより片手で内箱部Ａ１をつかむことができる。なお、内箱部Ａ１は片手でつかむことができる大きさに形成されている。すなわち、内箱部Ａ１の正面部１０の横方向の長さは、側面部２０と側面部３０とを片手でつかむことができる長さ（例えば、１０ｃｍ以下）に形成され、また、外箱部Ａ２の側面部１２０の切欠部１２８や側面部１３０の切欠部１３８の大きさも、切欠部１２８、１３８から露出した内箱部Ａ１を片手でつかむことができる大きさに形成されている。
【００７４】
また、外箱部Ａ２も片手でつかむことができる大きさに形成されている。すなわち、外箱部Ａ２の正面部１１０の横方向の長さは、側面部１２０と側面部１３０とを片手でつかむことができる長さ（例えば、１０ｃｍ以下）に形成され、これにより、外箱部Ａ２を内箱部Ａ１から分離する際に、側面部１２０と側面部１３０とを片手でつかむことができる。
【００７５】
上記構成の包装箱Ａの使用状態について説明する。包装箱Ａを使用しない状況では、上記のように包装箱Ａは平板状に折り畳むことができるので、折り畳んで保管しておく。
【００７６】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。また、底面部５０は、略平板状に組み立てられる。
【００７７】
そして、図９に示すように、包装箱Ａの上方から複数の被収納物（商品）Ｇを内箱部Ａ１内に収納する。なお、被収納物Ｇとしては、レトルトパウチ等のパウチ製品のように柔軟性のあるものとする。すなわち、片部１２４（１３４）を内側に押し込んで分離部２４（３４）を本体部２２（３２）から分離させることから、片部１２４（１３４）を押し込んだ際に片部１２４及び分離部２４と片部１３４及び分離部３４が内側に突出するので、被収納物Ｇとしては柔軟性のあるものとする。なお、上面部１６０〜１９０は、予め上方に立設した状態になっていて、外箱部Ａ２の上方が開口した状態になっているので、被収納物Ｇはそのまま包装箱Ａの上方から収納すればよい。また、外箱部Ａ２の正面部１１０、側面部１２０、１３０、背面部１４０や内箱部Ａ１の正面部１０、側面部２０、３０、背面部４０は、上方に立設した状態となっているので、被収納物の収納に支障はない。その後、上面部１６０〜１９０を閉状態にして、接着テープＴを外箱部Ａ２の正面部１１０から上面を経て背面部１４０側にまで接着させることにより、図１０に示すように、上面部１６０〜１９０を封止する。つまり、スリーブ状部１０５の上部開口に対して上面部１６０〜１９０を閉じた状態とすることにより、上面部１６０〜１９０により（主として、上面部１７０、１８０により）該上部開口を閉状態にして固定する。
【００７８】
以上のようにして、被収納物を包装箱Ａに包装したら、被収納物Ｇを収納した包装箱Ａを被収納物Ｇを陳列する場所に搬送する。
【００７９】
その後、被収納物を陳列する場合には、外箱部Ａ２を内箱部Ａ１から分離する。実際の操作としては、例えば、一方の手で内箱部Ａ１の露出部分（すなわち、側面部１２０における切欠部１２８から露出した部分と側面部１３０における切欠部１３８から露出した部分）をつかむとともに、他方の手で外箱部Ａ２の側面部１２０の片部１２４の領域と側面部１３０の片部１３４の領域をつかんだ状態で（図１１参照）、片部１２４、１３４を内側に押し込む（図１２参照）。例えば、親指で片部１２４、１３４の一方を押し込むとともに、中指で片部１２４、１３４の他方を押し込む。すると、切目線Ｋ１２６と切目線Ｋ１３６が破断して、片部１２４がその上辺（折れ線Ｃ２２に沿った辺部）に沿って回動し（つまり、片部１２４が折れ線Ｃ２２に沿った回動軸を中心に上面部１７０に対して回動する）、これに伴い切目線Ｋ２６が破断して分離部２４が本体部２２から分離し、片部１３４がその上辺（折れ線Ｃ２４に沿った辺部）に沿って回動し（つまり、片部１３４が折れ線Ｃ２４に沿った回動軸を中心に上面部１８０に対して回動する）、これに伴い切目線Ｋ３６が破断して分離部３４が本体部３２から分離する。つまり、片部１２４は、その上辺が回動軸（前後方向の回動軸）となって回動し、片部１３４は、その上辺が回動軸（前後方向の回動軸）となって回動する。
【００８０】
その後、一方の手で内箱部Ａ１の露出部分をつかんだ状態で、他方の手で外箱部Ａ２を内箱部Ａ１に対して引き離す（図１３参照）。その際、内箱部Ａ１の露出部分をつかむ一方の手と片部１２４、１３４を押し込んだ際の外箱部Ａ２をつかむ他方の手は、そのままの状態でよく、内箱部Ａ１や外箱部Ａ２を持つ手を持ち替える必要がない。なお、外箱部Ａ２を持つ手も、片部１２４、１３４を押し込んだ状態のまま外箱部Ａ２を内箱部Ａ１に対して引き上げればよい（図１３参照）。
【００８１】
すると、内箱部Ａ１においては、分離部２４、３４が分離した状態で、被収納物Ｇが収納されているので、被収納物Ｇが収納された内箱部Ａ１を陳列する。以上のように、内箱部Ａ１における切欠部１２８、１３８からの露出部分を一方の手でつかむとともに、外箱部Ａ２における一対の片部１２４、１３４の領域を他方の手でつかんだ状態で、外箱部Ａ２をつかんだ手で一対の片部１２４、１３４を内側に押し込むことにより一対の片部１２４、１３４が前後方向の回動軸を中心に回動して切目線Ｋ２６、Ｋ３６が破断し、一方の手で内箱部をつかんだ状態で他方の手で外箱部Ａ２を内箱部Ａ１から引き離すことにより外箱部Ａ２が内箱部Ａ１から分離する。
【００８２】
本実施例の包装箱によれば、包装箱Ａを両手でつかんだ状態で外箱部Ａ２をつかんだ手で片部１２４、１３４を押し込み、その後、外箱部Ａ２と内箱部Ａ１とを引き離すという動作のみで外箱部Ａ２を内箱部Ａ１から分離することができるので、少ない工程で外箱部Ａ２を内箱部Ａ１に対して分離することができる。
【００８３】
また、一方の手で内箱部Ａ１をつかんだ状態で他方の手で外箱部Ａ２を分離させるので、被収納物が軽量の場合でも内箱部Ａ１に対する外箱部Ａ２の分離に支障を来すことがない。つまり、上記従来例（実用新案登録第３１３９９４８号）の場合のように、内箱部に収納される被収納物が軽量の場合に、外箱部を分離する際に内箱部も上方に引き上げられてしまうことがない。
【００８４】
また、本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【００８５】
また、本実施例の包装箱Ａによれば、分離部２４、３４を内箱部Ａ１から分離することにより、外箱部Ａ２を内箱部Ａ１から分離するのみで被収納物を陳列することができるので、陳列作業を容易に行なうことができる。
【００８６】
また、被収納物の陳列状態においては、内箱部Ａ１における正面部１０の高さ方向の長さは、背面部４０の高さ方向の長さよりも小さく形成されているので、正面部１０を正面側として陳列することにより被収納物をユーザから見やすくすることができる。
【００８７】
なお、上記の説明において、切目線Ｋ１２６、Ｋ１３６は、複数の切込みを間隔を介して形成したものであるとしたが、略Ｕ字状に連続した切込みにより形成してもよい。
【００８８】
また、上記の説明では、切目線Ｋ１２６（Ｋ１３６）の両側の端部は、折れ線Ｃ２２（Ｃ２４）上に位置しているとして説明したが、図１５に示すように、切目線Ｋ１２６の両側の端部は、側面部１２０の上端領域に設けられるとともに、折れ線Ｃ２２よりもやや下方に位置し、切目線Ｋ１３６の両側の端部は、側面部１３０の上端領域に設けられるとともに、折れ線Ｃ２４よりもやや下方に位置する構成としてもよい。つまり、切目線Ｋ１２６の両側の端部と折れ線Ｃ２２間には、縦方向に間隔が設けられ、切目線Ｋ１３６の両側の端部と折れ線Ｃ２４間には、縦方向に間隔が設けられている。切目線Ｋ１２６の両側の端部間の方向（折れ線Ｃ１２６の方向）は、折れ線Ｃ２２と平行であり、切目線Ｋ１３６の両側の端部間の方向（折れ線Ｃ１３６の方向）は、折れ線Ｃ２４と平行となっている。また、図１５の構成においても、片部１２４の領域の側方には、本体部２２の上側の辺部が存在しないとともに、片部１３４の領域の側方には、本体部３２の上側の辺部が存在せず、片部１２４を内側に押し込んだ際に、片部１２４が本体部２２と接触することがなく、また、片部１３４を内側に押し込んだ際に、片部１３４が本体部３２と接触することがない。
【００８９】
これにより、片部１２４は切目線Ｋ１２６の端部間の折れ線Ｃ１２６（前後方向の回動軸）を中心に本体部１２２に対して回動し、片部１３４は切目線Ｋ１３６の端部間の折れ線Ｃ１３６（前後方向の回動軸）を中心に本体部１３２に対して回動する。つまり、この場合の本体部１２２自体の形状としては、上端領域に開口部（片部１２４を配置するための開口部）と、切欠部１２８と、開口部１１２による切欠部とを有した構成となっている。
【００９０】
図１５に示す構成においても、内箱部Ａ１における切欠部１２８、１３８からの露出部分を一方の手でつかむとともに、外箱部Ａ２における一対の片部１２４、１３４の領域を他方の手でつかんだ状態で、外箱部Ａ２をつかんだ手で一対の片部１２４、１３４を内側に押し込むことにより一対の片部１２４、１３４が前後方向の回動軸を中心に回動して切目線Ｋ２６、Ｋ３６が破断し、外箱部Ａ２を内箱部Ａ１から引き離すことにより外箱部Ａ２が内箱部Ａ１から分離する
【符号の説明】
【００９１】
Ａ 包装箱
Ａ１ 内箱部
Ａ２ 外箱部
５、１０５ スリーブ状部
１０、１１０ 正面部
２０、３０、１２０、１３０ 側面部
２２、３２、１２２、１３２ 本体部
２４、３４ 分離部
４０、１４０ 背面部
４２、１４２ 糊代部
５０ 底面部
６０  第１片部
７０  第２片部
８０  第３片部
９０  第４片部
１２４、１３４  片部
１６０、１７０、１８０、１９０ 上面部
Ｋ２６、Ｋ３６、Ｋ１２６、Ｋ１３６  切目線
【図１】
0003183208.tif 000003
【図２】
0003183208.tif 000004
【図３】
0003183208.tif 000005
【図４】
0003183208.tif 000006
【図５】
0003183208.tif 000007
【図６】
0003183208.tif 000008
【図７】
0003183208.tif 000009
【図８】
0003183208.tif 000010
【図９】
0003183208.tif 000011
【図１０】
0003183208.tif 000012
【図１１】
0003183208.tif 000013
【図１２】
0003183208.tif 000014
【図１３】
0003183208.tif 000015
【図１４】
0003183208.tif 000016
【図１５】
0003183208.tif 000017